(57)【要約】【課題】携帯性に優れ、精度の高い線下明示器を提供する。【解決手段】上面が開口したケース１１と、ケース１１に収容された液体１２と、液体１２に浮かべられた鏡体ユニットと、ケース１１に張設された基準糸１４とを備え、鏡体ユニットは、上面に鏡面３５を有する鏡体３１と、鏡体３１に取付けられ液体１２に浮揚する浮揚体とを備え、ケース１１の姿勢に関わらず鏡体ユニットの鏡面３５が液体１２の液面に対して平行になり、鏡面３５が水平に保たれる。【選択図】図１
2017083186.tif 000002
【特許請求の範囲】
【請求項１】
上面が開口したケースと、
前記ケースに収容された液体と、
前記液体に浮かべられた鏡体ユニットと、
前記ケースに張設された基準糸とを備え、
前記鏡体ユニットは、上面に鏡面を有する鏡体と、前記鏡体に取付けられ前記液体に浮揚する浮揚体とを備え、
前記ケースの姿勢に関わらず前記鏡体ユニットの鏡面が前記液体の液面に平行になることを特徴とする線下明示器。
【請求項２】
前記液体は、水よりも動粘度が高い液体であることを特徴とする請求項１に記載の線下明示器。
【請求項３】
前記液体は、水に洗濯糊を添加した液体であることを特徴とする請求項１又は２に記載の線下明示器。
【請求項４】
さらに前記鏡体ユニットと前記ケースとの接触を防止すべく、前記鏡体ユニットと前記ケースとを繋ぐ紐を備えていることを特徴とする請求項１から３のいずれか１項に記載の線下明示器。
【請求項５】
前記鏡体ユニットは、さらに前記鏡面に前記液体が浸入することを防止する堰体を備えていることを特徴とする請求項１から４のいずれか１項に記載の線下明示器。
【発明の詳細な説明】
【技術分野】
【０００１】
本発明は、架空電線等の直下位置の特定に用いられる線下明示器に関する。
【背景技術】
【０００２】
電気事業者が施設する架空電線は、「電気設備の技術基準」に基づいて維持、管理される。「電気設備の技術基準」には、架空電線路付近での建物等の工作物の設置に関して、接近状態（第１次接近状態及び第２次接近状態）を避けるべき旨の規定がある。接近状態に該当するか否かを判断するためには、工作物と架空電線との水平距離を求める必要があり、そのために架空電線の直下位置を特定する必要がある。
【０００３】
架空電線の直下位置を特定する方法としては、３つの筒体と三脚とを備え、底面に鏡を有する筒体が常に水平になるように構成され、鏡に映った架空電線の鏡像と筒体に張られた基準糸及び基準糸の鏡像とが重なる位置を探し、架空電線の直下位置として特定する線下明示器（例えば、特許文献１参照）を用いる方法や、携帯容易な直方体の箱に基準糸、鏡、水準器を設け、水準器を確認しながら水平を保ちつつ、鏡に映った架空電線の鏡像と筒体に張られた基準糸及び基準糸の鏡像とが重なる位置を探し、架空電線の直下位置として特定する線下明示器（例えば、特許文献２参照）を用いる方法が提案されている。
【先行技術文献】
【特許文献】
【０００４】
【特許文献１】実開平３−１１７７１８号公報
【特許文献２】特開２０１１−６４４８５号公報
【発明の概要】
【発明が解決しようとする課題】
【０００５】
特許文献１に記載の線下明示器は、三脚を備える分、重量が重く携帯性に欠ける。また架空電線の直下位置を探す際には、都度、三脚を用いて地面に固定する必要があり、作業に時間が掛かってしまう。
【０００６】
特許文献２に記載の線下明示器は、構成が簡単で携帯性に優れているが、作業者が水準器を視認しながら本体の水平を保つ必要があり、水平精度を確保することが難しく、特定した架空電線の直下位置に個人差が生じてしまう。
【０００７】
本発明の目的は、携帯性に優れ、精度の高い線下明示器を提供することである。
【課題を解決するための手段】
【０００８】
本発明は、上面が開口したケースと、前記ケースに収容された液体と、前記液体に浮かべられた鏡体ユニットと、前記ケースに張設された基準糸とを備え、前記鏡体ユニットは、上面に鏡面を有する鏡体と、前記鏡体に取付けられ前記液体に浮揚する浮揚体とを備え、前記ケースの姿勢に関わらず前記鏡体ユニットの鏡面が前記液体の液面に平行になることを特徴とする線下明示器である。
【０００９】
本発明の線下明示器によれば、構成が単純でありながら、鏡体ユニットの鏡面において高い水平精度を容易に得ることが可能であり、架空電線等の直下位置を正確に特定することができる。また小型化及び軽量化が実現されており、携帯性に優れる。
【００１０】
また本発明の線下明示器において、前記液体は、水よりも動粘度が高い液体であることを特徴とする。
【００１１】
また本発明の線下明示器において、前記液体は、水に洗濯糊を添加した液体であることを特徴とする。
【００１２】
本発明の線下明示器によれば、液体の動粘度が水よりも高いので、線下明示器の使用時の液体の波立ちが抑制され、鏡面への液体の付着による視認性の低下を防止することができる。また鏡体ユニットがゆっくりと動くようになるので、使い勝手が向上する。このような液体として、水に洗濯糊を添加した液体を好適に使用することができる。
【００１３】
また本発明の線下明示器は、さらに前記鏡体ユニットと前記ケースとの接触を防止すべく、前記鏡体ユニットと前記ケースとを繋ぐ紐を備えていることを特徴とする。
【００１４】
本発明の線下明示器によれば、線下明示器の使用時に鏡体ユニットとケースとの接触が防止され、鏡体ユニットが常に滑らかに液面に追随するので、計測精度の低下を防止することができる。
【００１５】
また本発明の線下明示器において、前記鏡体ユニットは、さらに前記鏡面に前記液体が浸入することを防止する堰体を備えていることを特徴とする。
【００１６】
本発明の線下明示器によれば、鏡面への液体の付着による視認性の低下を確実に防止することができる。
【発明の効果】
【００１７】
本発明の線下明示器によれば、構成が単純でありながら、鏡体ユニットの鏡面において高い水平精度を容易に得ることが可能であり、架空電線等の直下位置を正確に特定することができる。また小型化及び軽量化が実現されており、携帯性に優れる。
【図面の簡単な説明】
【００１８】
【図１】本発明の第１実施形態である線下明示器１の斜視図である。
【図２】図１の線下明示器１の切断線Ａ−Ａの断面図である。
【図３】図３は、図１の線下明示器１を使用して架空電線１００の直下位置を特定する作業の様子を示す図である。
【図４】本発明の第２実施形態である線下明示器２の斜視図である。
【発明を実施するための形態】
【００１９】
図１は、本発明の第１実施形態である線下明示器１の斜視図である。図２は、図１の線下明示器１の切断線Ａ−Ａの断面図である。図３は、図１の線下明示器１を使用して架空電線１００の直下位置を特定する作業の様子を示す図である。なお図３では、線下明示器１の構成要素の符号を省略している。
【００２０】
本発明の線下明示器１は、上面が開口した直方体のケース１１と、ケース１１に収容された液体１２と、液体１２に浮かべられた鏡体ユニット１３と、ケース１１の上部に長手方向に亘って張設された基準糸１４とを備え、架空電線１００等の高所に架設された電線やケーブルの直下位置を特定する用途に用いられる。
【００２１】
ケース１１は、携帯容易な大きさの箱体であり、長手方向に直交する２側面のうち一方の側面には、上部に基準糸１４を挿通させる挿通孔２１が穿設され、もう一方の側面には、下部に液体１２を排出する排出口２２が穿設されている。また排出口２２が穿設されている方の側面には、上部に基準糸１４の一端が固定されている。
【００２２】
ケース１１は、特定の材質に限定されるものではないが、強度、重量及び液体１２を収容することを考慮すると合成樹脂製であることが好ましい。
【００２３】
挿通孔２１は、ケース１１内における基準糸１４の高さが一定になるように、対向する側面の基準糸１４の一端が固定される高さと同じ高さに穿設されている。挿通孔２１の大きさは、基準糸１４が通過可能であればよく、基準糸１４が不必要に動かないように大き過ぎない方が良い。
【００２４】
排出口２２は、線下明示器１の使用後に液体１２を排出するために、底面付近に穿設されており、線下明示器１の使用時には栓体１５により閉塞されている。排出口２２の大きさは、特定の大きさに限定されるものではない。なお排出口２２を設けることなく、ケース１１の開口部から液体１２を排出することも可能である。
【００２５】
液体１２は、鏡体ユニット１３を浮かべたときに鏡体ユニット１３と基準糸１４とが接触しない液位でケース１１に収容されている。液体１２は、特定の液体に限定されるものではないが、鏡体ユニット１３の上面（鏡面３５）に付着しないように、線下明示器１の使用時に波立たない程度の粘性を有していることが好ましい。また液体１２に粘性を有する液体を用いることで、鏡体ユニット１３をゆっくりと動かすことができ、使い勝手が向上する。
【００２６】
液体１２は、少なくとも水よりも動粘度の高い液体であることが好ましく、一例としては、水に洗濯糊を添加したものが挙げられる。但し、液体１２として水、又は水よりも動粘度の低い液体を用いることを否定するものではない。
【００２７】
鏡体ユニット１３は、上面が鏡面３５である平板状の鏡体３１と、鏡体３１の下面に接着され液体１２に浮揚可能な平板状の浮揚体３２とで構成され、鏡面３５が液体１２の液面に対し常に平行になるように液体１２に浮かべられている。これによりケース１１の姿勢に関わらず、鏡面３５が常に水平に保たれる。
【００２８】
また鏡体ユニット１３は、平面視における幅及び長さがケース１１よりも小さく形成されており、線下明示器１の使用時にケース１１に接触しないように、紐３３を介してケース１１の底面に繋がれている。
【００２９】
鏡体３１は、特定の材質に限定されるものではなく、基準糸１４の鏡像及び上空に架設されている架空電線１００の鏡像が映っていることを視認可能な程度に、上面が鏡面３５となっていればよい。また鏡体３１の鏡面３５に撥水処理等の表面処理を施すと、液体１２が付着し難くなり、好ましい。
【００３０】
浮揚体３２は、ケース１１に収容する液体１２の種類に合わせて、鏡体３１が液体１２に浸からないように液体１２に浮揚可能な材質を適宜選択して形成される。浮揚体３２としては、例えば、発泡スチロール板等を用いることができる。
【００３１】
また浮揚体３２は、平板状に限定されるものではなく、鏡体ユニット１３を液体１２に浮かべたときに鏡面３５が液体１２の液面に対し常に平行になるように重心等を考慮して形成されていれば良く、例えば、半円柱体等でもよい。
【００３２】
紐３３は、鏡体ユニット１３がケース１１に接触しないように、かつ線下明示器１を真上から見たときに基準糸１４の鏡像が常に鏡体ユニット１３に映るように、鏡体ユニット１３の底面とケース１１の底面とを４箇所において繋いでいる。紐３３は、特定のものに限定されるものではなく、例えば、布製の紐や金属製のチェーン等を用いることができる。また紐３３の長さ、配置、数等は、特定のものに限定されるものではなく、少なくとも鏡体ユニット１３が液面に追随する動きを妨げないように、適宜決めることができる。
【００３３】
基準糸１４は、一端に重錘４１が取付けられており、ケース１１の長手方向に直交する２側面のうち、挿通孔２１が設けられていない方の側面に、重錘４１が取付けられていない方の一端が固定され、挿通孔２１を通って鉛直下向きに垂下されている。基準糸１４は、特定のものに限定されるものではなく、公知のものを用いることができる。
【００３４】
重錘４１は、円錐体の錘であり、先端が下を向くように底部が基準糸１４に固定されている。重錘４１の重量は、基準糸１４が真っ直ぐに張った状態を確保可能な程度に基準糸１４に張力が加わる重量とする。重錘４１は、特定のものに限定されるものではなく、公知のものを用いることができる。
【００３５】
次に本実施形態の線下明示器１を用いて架空電線１００の直下位置を特定する方法について説明する。作業者１１０は、架空電線１００の直下付近において、ケース１１の開口部が上を向き、重錘４１が手前に位置する向きで線下明示器１を保持し、鏡体ユニット１３の鏡面３５を目視しながら、架空電線１００の鏡像が鏡面３５に映る位置へ移動する。そして、鏡面３５に映る架空電線１００の鏡像と、鏡面３５に映る基準糸１４の鏡像とが重なる位置へ移動し、重錘４１の頂点が指し示す位置を架空電線１００の直下位置として特定する。
【００３６】
作業中に線下明示器１が傾いたとしても液体１２の水面が常に水平に保たれるので、液体１２に浮揚している鏡体ユニット１３の鏡面３５も常に水平に保たれている。このため作業者１１０は、上述したように線下明示器１を保持しながら、鏡面３５に映る架空電線１００の鏡像と、鏡面３５に映る基準糸１４の鏡像とが重なる位置へ移動するだけで架空電線１００の直下位置を特定することができる。
【００３７】
以上のように本実施形態の線下明示器１は、構成が単純でありながら、鏡体ユニット１３の鏡面３５において高い水平精度を容易に得ることが可能であり、架空電線１００の直下位置を正確に特定することができる。また小型化及び軽量化が実現されており、携帯性に優れる。
【００３８】
線下明示器１は、基準糸１４に加わる張力が確保され、基準糸１４が真っ直ぐに張られていればケース１１の加工精度を問わず、架空電線１００の直下位置を正確に特定可能なので、低コストで製造可能である。また線下明示器１は、ケース１１にある程度の長さ及び深さを確保することで、基準糸１４の鏡像と架空電線１００の鏡像とを目視で重ね合せることが容易となり、正確性が向上する。
【００３９】
さらに線下明示器１は、使用後においても、ケース１１に収容されていた液体１２をペットボトル等の密閉容器（図示省略）に移し替えることで容易に持ち運ぶことができる。また使用前においても、液体１２をペットボトル等の密閉容器に収容しておくことで、使用場所に到着するまで密閉容器をリュックサック等に入れて容易に持ち運ぶことができる。使用時には、液体１２を密閉容器からケース１１に注げばよい。
【００４０】
図４は、本発明の第２実施形態である線下明示器２の斜視図である。図１から図３に示す第１実施形態の線下明示器１と同一の構成には同一の符号を付して説明を省略する。本実施形態の線下明示器２は、第１実施形態の線下明示器１と基本的構成は同じであるが、鏡体ユニット５１の鏡面３５への液体１２の浸入を防止すべく、鏡面３５（鏡体３１）の周囲に堰体５２が配設されている。
【００４１】
堰体５２は、鏡面３５の周囲を取囲むようにして形成され、鏡面３５に液体１２が浸入することを防止する。堰体５２の高さは、鏡面３５よりも高く、基準糸１４が張設されている高さよりも低い高さに設定される。
【００４２】
堰体５２の材質は、特定の材質に限定されるものではなく、例えば、浮揚体３２と同様、発泡スチロール板等を用いることができる。また堰体５２は、浮揚体３２と一体的に形成されていてもよい。
【００４３】
本実施形態の線下明示器２によれば、堰体５２を備えることで、鏡面３５への液体１２の浸入、付着を確実に防止することができる。
【００４４】
以上、第１、第２実施形態の線下明示器１、２を用いて、本発明の線下明示器を説明したが、本発明の線下明示器は、上記実施形態に限定されるものではなく要旨を変更しない範囲で変形することができる。例えば、ケース１１は、直方体に限定されるものではなく、例えば、持ち易いように丸みを帯びた形状に形成されていてもよい。またケース１１に持ち手が形成されていてもよい。さらにケース１１は、折畳み可能に構成されていてもよい。
【００４５】
排出口２２の外側には、液体１２を他の容器に移し替え易いように、注ぎ口（図示省略）が形成されていてもよい。
【００４６】
鏡体ユニット１３の鏡面３５には、架空電線１００の鏡像が真っ直ぐになっているか否かを容易に視認可能に目安線（図示省略）が描かれていてもよい。
【００４７】
また本発明の線下明示器は、架空電線１００に限らず、光ファイバーケーブル等の通信線や配電線等の直下位置を特定する作業に用いることも可能である。
【００４８】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００４９】
１、２  線下明示器
１１  ケース
１２  液体
１３  鏡体ユニット
１４  基準糸
３１  鏡体
３２  浮揚体
３３  紐
３５  鏡面
５２  堰体
【図１】
2017083186.tif 000003
【図２】
2017083186.tif 000004
【図３】
2017083186.tif 000005
【図４】
2017083186.tif 000006